(57)【要約】      （修正有）【課題】階段のさまざまな寸法違いに対応することができ、加工性に優れてい為、容易に取り付けが可能である、階段を昇る際の躓きを起因とする事故を防止する躓き防止用の階段の段鼻とけこみ板との水平方向の段差解消部材を提供する。【解決手段】階段の踏板の段鼻部下面とけこみ板の入り隅部分の段鼻仕上げ面に至る空間に装着される階段を昇る際の躓き防止の段差解消部材であって、段鼻正面下端部からけこみ板垂直面へ４５度の傾斜面を持つ発泡ポリスチレン等のやや固めの可撓性を有し、断面は直角二等辺三角形状の単一形成材からなり、取り付けのため同部材の水平、垂直面に両面テープを貼付るとともに、傾斜面にから水平、垂直面へビス固定用の２．５ｍｍ下穴加工を施し、同ビス固定用穴へ２ｍｍ×１９ｍｍの木ネジを用いて固定するもので、後付が容易である。【選択図】図１
0003128120.tif 000002
【実用新案登録請求の範囲】
【請求項１】
木製ボックス形状階段の踏板の段鼻部下面とけこみ板の入り隅部分の段鼻仕上げ面に至る空間に装着される階段の段鼻とけこみ板との水平方向の段差解消材であって、段鼻正面下端部からけこみ板垂直面へ傾斜面を持つ単一形成材で、装着時の新たな段差や装着に伴う既存物への変形等を発生することがないことを特徴とする階段踏み板段鼻とけこみ板の水平方向の段差解消部材。
【請求項２】
前記部材の断面は直角二等辺三角形状で各面が平滑な仕上りを持つ発泡ポリスチレン等のやや固めの可撓性を有する単一形成材からなり、原材料が加工性能に優れていることから長さや各断面寸法をさまざまな木製ボックス形状階段に対応しうることを特徴とする請求項１に記載の階段踏み板段鼻とけこみ板の水平方向の段差解消部材。
【請求項３】
前記部材の水平、垂直面に両面テープを貼付るとともに、傾斜面から水平、垂直面へビス固定用の２．５ｍｍ下穴加工を施し、同ビス固定用穴へ２ｍｍ×１９ｍｍの木ネジを用いてプラスドライバーにてねじ込み、固定するもので、後付が容易であり、特殊な工具や技術を必要とせず取り付けることが出来ることを特徴とする請求項１又は２の何れかに記載の階段踏み板段鼻とけこみ板の水平方向の段差解消部材。
【考案の詳細な説明】
【技術分野】
【０００１】  本考案は、住宅の木製ボックス形状階段を昇る際に踏み板段鼻とけこみ板との水平方向の段差への躓き防止のために装着される階段踏み板段鼻とけこみ板の水平方向の段差解消部材に関する。
【背景技術】
【０００２】  住宅の木製ボックス形状階段において、踏み板段鼻部は通常けこみ板よりも突出しており、階段を昇る際、階段の段鼻部の前記突出部につま先が引っかかり躓いて怪我や転倒、転落するなど、従来から階段事故は大きな問題となっていた。それらに対応する為、階段昇降時の躓き防止の為、踏み板段鼻下面に部材を取り付けることは従来から知られていた。図３の引用符合１０は従来の階段用踏み板に取り付けられた段鼻部材の一例を示している。【０００３】しかし、図３の引用符号１０は、求めに応じて随時製作されて取り付けられたものが多く、その殆どが木製である。ゆえに、さまざまな住宅の木製ボックス形状階段への設置需要に対応するように製品化を考慮した場合、一律の安定した製品性能を得ることは困難であり、製造コストも高いものとなると予想されることから、事実上の製品化は行なわれていない状況にある。【０００４】また、階段昇降時の躓き防止の為、例えば、特開平１０−２１９９５２号公報では、階段の踏み板下面に設けられた躓き防止機能を有する階段の滑り止め及び打撲緩衝材が開示されており、特開平１１−６２１５２号公報では、滑り止めを兼ねた階段の踏み板用保護部材が開示されている。又、特開平１１−１７２８７５号公報では、踏み板の段鼻部下面に軟質の補助部材を取り付けた階段が開示されている。さらに、特開２００３−２６２０２４公報では、階段踏み板の段鼻部の下面とけこみ板に装着され、垂直部と該垂直部の下端に連成される可撓性材料からなる傾斜部を備え、該垂直部の上端と下端に水平部を有する階段の段鼻調整部材が開示されている。
【特許文献１】  特開平１０−２１９９５２
【特許文献２】  特開平１１−６２１５２
【特許文献３】  特開平１１−１７２８７５
【特許文献４】  特開２００３−２６２０２４
【考案の開示】
【考案が解決しようとする課題】
【０００５】  しかしながら、住宅における階段の寸法は千差万別で、踏み板の段鼻部先端とけこみ板との間の水平距離、踏み板の厚み等様々な寸法で階段が施工されているのが実状で、これらにぴったり合う躓き防止部材を取り付け施工することはきわめて難しい。【０００６】さらに、介護保険法の制定や社会的背景により、高齢者や身体障害者の在宅率や、健常者家族との同居率が共に高くなり、住宅改修工事の必要性が高まると共に、階段昇降時の転倒、転落事故防止に向け、踏み板先端の段鼻上面への滑り止め対策を施した製品やその機能を有する補助部材の開発が行なわれているが、その殆どが階段昇降時の転倒転落防止を目的とする踏み板先端段鼻上面への滑り止めの対策で、後付のものの多くは設置後に新たな段差が生じることが多く、高齢者や身体障害者の不自由とする体部位によっては新たなる躓きによる転倒、転落の原因となることがある。又、これら対策の対象を高齢者や身体障害者に特定することにより、健常者同居家族にとって適するものではないものとなることがある為、一般的な階段昇降運動動作の妨げにならない様に考慮する必要がある。【０００７】前記、特開平１０−２１９９５２号公報の階段部材では、踏み板下面とけこみ板との作る空間部を覆う躓き防止部が可撓性を有する材料から作られており、その性能は階段昇降時の滑り止め、段鼻正面や角部での怪我の防止並びに階段を昇る際の躓き防止の機能を合せ持つ同質材料で形成される連成部材で、その機能の内の一つの機能を有する部位のみの単体での取り付けが不可能である。例えば階段を昇る際の躓き防止の為の、階段踏み板の段鼻下端からけこみ板への空間を覆う傾斜部材を切断するなどして利用することは、部材構造上不可能である。【０００８】また、前記、特開平１１−６２１５２号公報では、特開平１０−２１９９５２号と同様の性能を有する合成樹脂成形の連成部材であり、やはりその機能の内の一つの機能を有する部位のみの単体での取り付けが不可能である。さらに特開平１０−２１９９５２号に比べ、踏み板の厚みや、踏み板の段鼻部下面とけこみ板との水平寸法への対応範囲が小さく、踏み板の厚さの様々な寸法に対応するには、寸法差に応じたスペーサーを用意する必要があるなど、施工に手間がかかり実用的なものといえない。合せて原材料の性質上、各部の可変部位を形成するに当り、厚みを必要とするため、設置後の踏み板段鼻正面垂直部の寸法は大きくなるため、新たなる躓きの原因となる。【０００９】また、特開平１１−１７２８７５号公報では、その主たる目的を階段を昇る際の足先、特に爪先が踏み板段鼻部へ引っかかるのを防止することとしている軟質材料から形成される階段の補助部材のため、階段を昇る際につま先が当った時、その衝撃を充分に吸収してしまう為に段鼻下面にかえって躓いてしまう恐れがあるため、事実上、躓き防止の用途たる機能を充分に有しているとはいえない。【００１０】さらに、特開２００３−２６２０２４公報は、階段踏み板の段鼻部下面とけこみ板とで形成される角部に取り付ける階段の躓き防止用の段鼻調整部材で、本願と同様にその目的を階段の躓き防止に限定しているものである。しかし、この段鼻調整部材の取り付け方法として、階段の段���調整部材の上端水平部先端に略垂直方向に突出する突条と下端水平部先端に略水平方向に突出する突条とを形成しており、階段に取り付け施工する際段鼻部下面とけこみ板に凹条を設け、前記凹条に突条を嵌合させることによって、極めて簡単に取り付け施工が出来るとしている。しかし、この段鼻調整部材の構造上、階段幅員全てを覆う為には、段鼻部下面並びにけこみ板への凹条を階段幅員全てに設ける必要があるが、後付の場合は、現存する工具を用いて、段鼻部下面に均一の深さを持つ凹条を設けることは困難であり、取り付け前準備段階での施工に手間がかかり実用的なものといえない。さらに、既存階段のけこみ板において、この様な凹条を設ける場合、けこみ板の分断を意味する。これを対処する為に階段の裏側から何らかの処置を講じる必要があるため、既存階段への容易な後付は事実上不可能である。この段鼻調整部材を設置するためには、階段踏み板とけこみ板の製作段階でプレカット等による事前の加工が必要となるため、組み合わせた考案が必要であると考えられる。故に、広く一般に浸透するものとは考えられない。
【課題を解決する手段】
【００１１】  上記課題を解決する為になされた請求項１の本考案の階段踏み板段鼻とけこみ板の水平方向の段差解消部材は、階段踏み板段鼻下端部とけこみ板に装着される階段を昇る際の躓きを防止する、階段踏み板段鼻とけこみ板の水平方向の段差解消部材であって、階段踏み板段鼻下端部からけこみ板へ４５度の傾斜を持つ単一形成材で、装着時の新たな段差や装着に伴う既存物への変形等を発生することがないことを特徴とする。
【００１２】請求項２記載の本考案の階段踏み板段鼻とけこみ板の水平方向の段差解消部材は、請求項１記載の階段踏み板段鼻とけこみ板の水平方向の段差解消部材において、前記部材の断面は直角二等辺三角形状で各面が平滑な仕上りを持つ発泡ポリスチレン等のやや固めの可撓性を有する単一形成材からなり、原材料が加工性能に優れていることから長さや各断面寸法をさまざまな木製ボックス形状階段に対応しうることを特徴とする。
【００１３】また、請求項３記載の本考案の階段踏み板段鼻とけこみ板の水平方向の段差解消部材は、請求項１又は２のいずれかに記載の階段踏み板段鼻とけこみ板の水平方向の段差解消部材において、前記部材の水平、垂直面に両面テープを貼付るとともに、傾斜面にから水平、垂直面へビス固定用の２．５ｍｍ下穴加工を施し、同ビス固定用穴へ２ｍｍ×１９ｍｍの木ネジを用いてプラスドライバーにてねじ込み、固定するもので、後付が容易であり、特殊な工具や技術を必要とせず取り付けることが出来ることを特徴とする。
【考案の効果】
【００１４】  請求項１に記載された本考案によれば、踏み板段鼻部下面とけこみ板によって形成された角部を前記部材の断面は直角二等辺三角形状で各面が平滑な仕上りを持つ発泡ポリスチレン等のやや固めの可撓性を有する単一形成によりふさぐことによって階段を昇る際につま先が前記段鼻下面に引っかかって躓くのを有効に防止することが出来る。
【００１５】さらに、介護保険法の制定や社会的背景により、高齢者や身体障害者の在宅率や、健常者家族との同居率が共に高くなり、特に三大成人病のうち、脳血管障害などによる後遺症により片麻痺の状態となり、足首を固定する装具などを使用している方が階段を昇る際につま先や装具の先端が前記段鼻下面に引っかかって躓くのを有効に防止することが出来るとともに、装着後の状態において、一般的な階段昇降運動の各動作の妨げとならないため、装着前の状態に影響を与えることがない。
【００１６】また、請求項２並びに請求項３の考案によれば、前記材料が発泡ポリスチレン等のやや固めの可撓性を有する単一形成材からなり、原材料が加工性能に優れていることから長さや各断面寸法に合わせて切断や加工を行うことが出来るので、様々な木製ボックス形状階段に対応しうることが出来ると共に、既存物に特別な加工を要しないので、特殊な工具や技術を必要とせず取り付けることが出来るため、広く一般に供することが出来ると期待できる。
【００１７】また、前記の本考案の階段踏み板段鼻とけこみ板の水平方向の段差解消部材の原型を原材料から加工、形成する技術はすでに確立されていることから、さまざまな木製ボックス形状階段の寸法に対応することが出来るとともに、製作技術開発の為の研究に要する期間や、経費などを必要としないことから、安価に製造することが出来る。このことから、重度心身障害者（児）日常生活用具給付、各都道府県による高齢者住宅改造費助成並びに介護保険法に定められている住宅改修費の給付限度額などに大きな負担を与えることなく、本考案の階段踏み板段鼻とけこみ板の水平方向の段差解消部材による有効な性能を広く一般に供することが出来ると期待できる。
【考案を実施するための最良の形態】
【００１８】  以下、図面を参考にして本考案の実施の形態の一例を説明する。図１は本考案の階段踏み板段鼻とけこみ板の水平方向の段差解消部材を段鼻下面に取り付けた実施の形態の一例を示す断面図である。又、図２は本考案の階段踏み板段鼻とけこみ板の水平方向の段差解消部材の単体の断面図である。【００１９】図１において、引用符合１は住宅の木製ボックス形状階段の段鼻部下面とけこみ板によって形成された角部に取り付けられた本考案の階段踏み板段鼻とけこみ板の水平方向の段差解消部材の一例を示している。該段差解消部材１は、図２に示す如く、やや固めの可撓性を有し、一体形成の二等辺三角形の断面形状しており、４ａと４ｂに取り付けの際に補助的な役割を目的とする両面テープを施す。さらに、傾斜面から４ａ面、４ｂ面それぞれに垂直又は水平となるように５の通り、ビス固定用の２．５ｍｍ穿孔穴を３００ｍｍのピッチで設ける。設置する長さに切断加工する場合は両端部から１００ｍｍの位置に同様に穿孔を施す。【００２０】図１に示すように、階段踏み板の段鼻の上下端部は面取りが施されている為、段鼻下面の面仕舞から傾斜面を始めることが望ましいので、ａ寸法と面仕舞の寸法から算出されるｃ寸法に近似の材料を選択する。【００２１】前記の本考案の階段踏み板段鼻とけこみ板の水平方向の段差解消部材の原型を原材料から加工、形成する技術はすでに確立されていることから、図４に示すように、例えば、ｂ寸法、ｃ寸法共に３種の断面寸法を基準として構成する。【００２２】前記の該段差解消部材１は図１に示すとおり、段鼻下面８に４ａ、けこみ板表面９に４ｂを既設の両面テープを用いて接着し、該段差解消部材１の既設のビス固定用２．５ｍｍ穿孔穴５へ２０ｍｍ×１９ｍｍの木ネジ６を用いてプラスドライバーにてねじ込み、固定する。この場合、図１に示すように該段差解消部材１が踏み板段鼻先端垂直部７よりも突き出てしまう場合は、カッターなど簡易な工具を用いて設置後に切り落とすことが出来る。【００２３】該段差解消部材１はやや固めではあるが、可撓性を有しているため、階段踏み板２が経年使用により変形などが見られる場合においても、前記装着方法により固定することが出来る。【００２４】以上、説明したように、本考案の階段踏み板段鼻とけこみ板の水平方向の段差解消部材によれば、踏み板段鼻部下面とけこみ板によって形成された角部を前記部材の断面は直角二等辺三角形状で各面が平滑な仕上りを持つ発泡ポリスチレン等のやや固めの可撓性を有する単一形成によりふさぐことによって、階段を昇る際につま先が前記段鼻下面に引っかかって躓くのを有効に防止することが出来る。【００２５】また、本考案の階段踏み板段鼻とけこみ板の水平方向の段差解消部材によれば、発泡ポリスチレン等のやや固めの可撓性を有する単一形成材からなり、原材料が加工性能に優れており、さらに前記断面寸法を３種構成することから長さや各断面寸法をさまざまな木製ボックス形状階段に対応しうることが出来る。【００２６】また、踏み板の厚みに関係なく装着可能であり、介護保険法の制定や社会的背景により、高齢者や身体障害者の在宅率や、健常者家族との同居率が共に高くなり、特に三大成人病のうち、脳血管障害など��よる後遺症により片麻痺の状態となり、足首を固定する装具などを使用している方が階段を昇る際につま先や装具の先端が前記段鼻下面に引っかかって躓くのを有効に防止することが出来るとともに、装着後の状態において、一般的な階段昇降運動の各動作の妨げとならないため、装着前の状態に影響を与えることがない。【００２７】また、本考案の階段踏み板段鼻とけこみ板の水平方向の段差解消部材によれば前記材料が発泡ポリスチレン等のやや固めの可撓性を有する単一形成材からなり、原材料が加工性能に優れていることから長さや各断面寸法に合わせて切断や加工を行うことが出来るので、さまざまな木製ボックス形状階段に対応しうることをが出来ると共に、既存物に特別な加工を要しないので、特殊な工具や技術を必要とせず取り付けることが出来るため、広く一般に供することが出来ると期待できる。
【図面の簡単な説明】
【００２８】
【図１】本考案の階段踏み板段鼻とけこみ板の水平方向の段差解消部材の一実施例を示す断面図である。
【図２】本考案の階段踏み板段鼻とけこみ板の水平方向の段差解消部材の本体単体断面を示す断面図である。
【図３】従来の階段用踏み板に取り付けられた段鼻部材の一例を示している。
【図４】本考案の階段踏み板段鼻とけこみ板の水平方向の段差解消部材の製作対応可能な断面寸法形状を示す断面図である。
【符号の説明】
【００２９】１    本考案の段差解消部材本体断面
２    木製ボックス形状階段踏み板断面
３    木製ボックス形状階段けこみ板断面
４ａ  本考案の段差解消部材本体を仮固定するための両面テープを施す水平面
４ｂ  本考案の段差解消部材本体を仮固定するための両面テープを施す垂直面
５    本考案の段差解消部材本体の水平、垂直方向ビス固定用下穴加工による２．５ｍｍ穿孔穴
６    本考案の段差解消部材本体を段鼻下面並びにけこみ板に固定する２ｍｍ×１９ｍｍ木ネジ
７    階段踏み板段鼻垂直面
８    踏み板段鼻下水平面
９    けこみ板垂直面
１０  従来の階段用踏み板に取り付けられた段鼻部材本体断面の一例
１１  本考案の段差解消部材本体の４５度傾斜面
ａ    踏み板段鼻とけこみ板との水平距離
ｃ    本考案の段差解消部材本体の断面を構成する、二等辺三角形状の水平、垂直方向の寸法で等距離であることを示す
ｂ    本考案の段差解消部材本体の断面を構成する、二等辺三角形状の傾斜面の寸法でｃ寸法の１．４１４倍の距離を示す
【図１】
0003128120.tif 000003
【図２】
0003128120.tif 000004
【図３】
0003128120.tif 000005
【図４】
0003128120.tif 000006